(57)【要約】【課題】  予め設定された副走査方向の解像度よりも低解像度の画像も形成できる画像形成装置を実現することである。【解決手段】  一定速度で副走査方向に移動する感光体に光を照射する複数のＬＥＤ素子を有し、各ＬＥＤ素子が第１解像度に対応するピッチで副走査方向に順次ずれた状態で主走査方向に配列されて成るＬＥＤプリンタヘッドと、各ＬＥＤ素子を第１解像度に対応するライン周期の駆動周期及び露光時間で駆動する画像展開制御部と、を備えた画像形成装置において、画像展開制御部は、第１解像度の１／ｎ（ｎは偶数）の第２解像度で露光を行う場合、各ＬＥＤ素子のＬＥＤ駆動周期Ｔ２ｂを第２解像度におけるライン周期Ｔ１ｂの１／ｎの周期とし、且つ、露光時間を第１解像度のｎ倍の時間としてＬＥＤ素子を駆動させる。【選択図】図６
2006159851.tif 000002
【特許請求の範囲】
【請求項１】
一定速度で副走査方向に移動する感光体に光を照射する複数のＬＥＤ素子を有し、当該各ＬＥＤ素子が第１解像度に対応するピッチで副走査方向に順次ずれた状態で主走査方向に配列されて成るＬＥＤプリンタヘッドと、前記各ＬＥＤ素子を前記第１解像度に対応するライン周期の駆動周期及び露光時間で駆動するＬＥＤ駆動制御手段と、を備えた画像形成装置において、
前記ＬＥＤ駆動制御手段は、前記第１解像度の１／ｎ（ｎは偶数）の第２解像度で露光を行う場合、前記各ＬＥＤ素子の駆動周期を前記第２解像度におけるライン周期の１／ｎの周期とし、且つ、露光時間を前記第１解像度のｎ倍の時間として前記ＬＥＤ素子を駆動させること、
を特徴とする画像形成装置。
【請求項２】
一定速度で副走査方向に移動する感光体に光を照射する複数のＬＥＤ素子を有し、当該各ＬＥＤ素子が第１解像度に対応するピッチで副走査方向に順次ずれた状態で主走査方向に配列されて成るＬＥＤプリンタヘッドと、前記各ＬＥＤ素子を前記第１解像度に対応するライン周期の駆動周期及び露光時間で駆動するＬＥＤ駆動制御手段と、を備えた画像形成装置において、
前記ＬＥＤ駆動制御手段は、前記第１解像度の１／ｎ（ｎは偶数）の第２解像度で露光を行う場合、当該第２解像度におけるライン周期内に、前記各ＬＥＤ素子の駆動周期を前記第２解像度におけるライン周期の１／ｎの周期、且つ、露光時間を前記第１解像度の露光時間とした前記ＬＥＤ素子の駆動をｎ回駆動させること、
を特徴とする画像形成装置。
【請求項３】
請求項２に記載の画像形成装置において、
前記ＬＥＤ駆動制御手段は、
前記第１解像度の１／ｎ（ｎは偶数）の第２解像度で露光を行う場合、
１回目のＬＥＤ駆動時の画像データを保持する記憶手段を有し、
２回目以降のＬＥＤ駆動時において前記記憶手段内の画像データを読み出してＬＥＤ素子を駆動させること、
を特徴とする画像形成装置。
【発明の詳細な説明】
【技術分野】
【０００１】
本発明は、露光手段としてＬＥＤプリンタヘッドを備える画像形成装置に関する。
【背景技術】
【０００２】
電子写真方式を用いた画像形成装置においては、均一かつ一様に帯電させられた感光体の表面を画像データに対応させて露光して静電潜像を形成し、その後、該静電潜像を現像してトナー像とし、該トナー像を記録媒体に転写し、定着させている。従来、露光光源としては、レーザやＬＥＤ（Light Emitting Diode）素子を採用したものが知られており、露光光源としてＬＥＤ素子を採用する画像形成装置は、主走査方向に沿ってＬＥＤ素子が予め設定された解像度に応じて複数配列され、一走査ライン単位で画像データに応じてＬＥＤ素子を駆動制御するＬＥＤプリンタヘッドを備えている。
【０００３】
このようなＬＥＤプリンタヘッドを備えた画像形成装置は、ＬＥＤプリンタヘッドの解像度が予め設定された解像度に固定されているため、ＰＣ（Personal Computer）等の上位装置から指定される設定解像度と、ＬＥＤプリンタヘッドの解像度とが同じ解像度でない場合、上位装置で意図した解像度で印刷できないという問題があった。
【０００４】
そこで、上位装置から解像度に基づく距離情報を含む制御コマンドを受信し、制御コマンドの指示に対応する処理を実行する制御コマンド処理手段と、上位装置が予め想定した想定解像度情報を設定記憶する情報保持手段と、プリンタエンジンの実際の実解像度を示す情報を記憶する記憶手段と、想定解像度情報及び実解像度情報とから制御コマンド処理を補正する補正手段と、を備え、補正手段により補正された距離情報に基づき印字すべき画像情報を生成するプリンタシステムが開示されている（特許文献１参照）。
【特許文献１】特開平１０−１３８５５２号公報
【発明の開示】
【発明が解決しようとする課題】
【０００５】
ところで、高画質、高品質化が求められる昨今、高解像度に応じた個数のＬＥＤ素子を主走査方向に一列に配置することは物理的及び製造上非常に困難であるため、複数のＬＥＤ素子を有するＬＥＤヘッドモジュールを複数備えたＬＥＤプリンタヘッドが考案されている。例えば、各ＬＥＤヘッドモジュールは、ＬＥＤ素子が予め設定されている解像度に対するピッチで副走査方向に順次ずれた状態で主走査方向に所定の間隔を置いて配列され、主走査方向に順次時分割駆動されるよう構成されている。このように構成されたＬＥＤプリンタヘッドを採用した画像形成装置によって形成される画像は、副走査方向の解像度が予め設定されている解像度よりも低解像度である場合、一走査ラインが直線とならず、ＬＥＤ素子の配置に応じた階段状となってしまうという問題がある。
【０００６】
しかしながら、特許文献１は、主走査方向の解像度に対する印字補正であり、副走査方向において予め設定された解像度よりも低解像度を印字する場合については言及されていない。
【０００７】
本発明の課題は、予め設定された副走査方向の解像度よりも低解像度の画像も形成できる画像形成装置を実現することである。
【課題を解決するための手段】
【０００８】
請求項１に記載の発明は、一定速度で副走査方向に移動する感光体に光を照射する複数のＬＥＤ素子を有し、当該各ＬＥＤ素子が第１解像度に対応するピッチで副走査方向に順次ずれた状態で主走査方向に配列されて成るＬＥＤプリンタヘッドと、前記各ＬＥＤ素子を前記第１解像度に対応するライン周期の駆動周期及び露光時間で駆動するＬＥＤ駆動制御手段と、を備えた画像形成装置において、前記ＬＥＤ駆動制御手段は、前記第１解像度の１／ｎ（ｎは偶数）の第２解像度で露光を行う場合、前記各ＬＥＤ素子の駆動周期を前記第２解像度におけるライン周期の１／ｎの周期とし、且つ、露光時間を前記第１解像度のｎ倍の時間として前記ＬＥＤ素子を駆動させること、を特徴とする画像形成装置であること、を特徴としている。
【０００９】
請求項２に記載の発明は、一定速度で副走査方向に移動する感光体に光を照射する複数のＬＥＤ素子を有し、当該各ＬＥＤ素子が第１解像度に対応するピッチで副走査方向に順次ずれた状態で主走査方向に配列されて成るＬＥＤプリンタヘッドと、前記各ＬＥＤ素子を前記第１解像度に対応するライン周期の駆動周期及び露光時間で駆動するＬＥＤ駆動制御手段と、を備えた画像形成装置において、前記ＬＥＤ駆動制御手段は、前記第１解像度の１／ｎ（ｎは偶数）の第２解像度で露光を行う場合、当該第２解像度におけるライン周期内に、前記各ＬＥＤ素子の駆動周期を前記第２解像度におけるライン周期の１／ｎの周期、且つ、露光時間を前記第１解像度の露光時間とした前記ＬＥＤ素子の駆動をｎ回駆動させること、を特徴とする画像形成装置であること、を特徴としている。
【００１０】
請求項３に記載の発明は、請求項２に記載の画像形成装置において、前記ＬＥＤ駆動制御手段は、前記第１解像度の１／ｎ（ｎは偶数）の第２解像度で露光を行う場合、１回目のＬＥＤ駆動時の画像データを保持する記憶手段を有し、２回目以降のＬＥＤ駆動時において前記記憶手段内の画像データを読み出してＬＥＤ素子を駆動させること、を特徴としている。
【発明の効果】
【００１１】
請求項１に記載の発明によれば、画像形成装置の線速度及びＬＥＤ駆動回数を変更せずに、ＬＥＤ素子の駆動周期及び露光時間を変更することにより、１走査ラインを形成するために必要な露光時間を確保しつつ容易に予め設定された副走査方向の第１解像度よりも低解像度の第２解像度の画像も形成できる画像形成装置を実現することができる。
【００１２】
請求項２に記載の発明によれば、画像形成装置の線速度及び駆動周期毎の露光時間の変更をせずに、ＬＥＤ素子の駆動周期及び駆動回数を変更することにより、１走査ラインを形成するために必要な露光時間を確保しつつ容易に予め設定された副走査方向の第１解像度よりも低解像度の第２解像度の画像も形成できる画像形成装置を実現することができる。
【００１３】
請求項３に記載の発明によれば、請求項２と同様の効果を得られるのは勿論のこと、ＬＥＤプリンタヘッドの駆動回毎に画像データを取得する動作を必要としないため、制御信号の簡略化を行うことができる。
【発明を実施するための最良の形態】
【００１４】
[実施の形態１]
以下、図を参照して本発明の実施の形態１を詳細に説明する。
まず、構成を説明する。
図１に、本実施の形態１における画像形成装置１の断面構成図を示す。
画像形成装置１は、原稿から画像を読み取り、読み取った画像を紙等の記録媒体Ｐに画像形成するコピー機能や、ＰＣ等の上位装置から画像データを受信し、画像データが表す画像を記録媒体Ｐ上に形成して出力するプリンタ機能等を備えたデジタル複合機である。図１に示すように、画像形成装置１は、画像読取部１０、プリント部２０から構成される。
【００１５】
画像読取部１０は、ＡＤＦ（Auto Document Feeder）と称される自動原稿送り部１１と読取部１２とを備える。
自動原稿送り部１１は、原稿トレイ１１ｇに積載される原稿を最上部から順に搬送する給紙ローラ１１ａと、原稿の読取個所であるコンタクトガラスに原稿を密着させながら通過させるための密着ローラ１１ｂと、給紙ローラ１１ａにより搬送された原稿を密着ローラ１１ｂに沿って案内する案内ローラ１１ｃとを備える。そして、コンタクトガラスを通過した原稿の搬送方向を切り替える切替爪１１ｄと、原稿の表裏を反転させるための反転ローラ１１ｅと、読み取りが完了した原稿が排出される排紙トレイ１１ｆとを備える。
【００１６】
読取部１２は、光源、レンズ、コンタクトガラス、ＣＣＤ（Charge Coupled Device）等からなるスキャナを備えて構成され、原稿に照射した光の反射光を結像して光電変換することにより原稿の原稿画像（アナログ画像信号）を読み取り、Ａ／Ｄ変換され各種画像処理が施された後、プリントデータとしてプリント部２０に出力する。ここで、画像とは、図形や写真等のイメージデータに限らず、文字や記号等のテキストデータ等も含む意である。
【００１７】
プリント部２０は、入力されたプリントデータに基づいて、電子写真方式の画像形成を行うものであり、画像形成部３０と、クリーニング部４０と、給紙部５０と、搬送部６０と、定着部７０とを備えて構成される。
【００１８】
画像形成部３０は、感光体ドラム３１と、帯電装置３２と、露光装置としてのＬＥＤプリンタヘッド３３と、現像装置３４と、転写装置３５とを備えている。
具体的には、帯電装置３２により帯電された感光体ドラム３１にＬＥＤプリンタヘッド３３から光を照射して静電潜像を形成する。そして、現像装置３４は、静電潜像が形成された感光体ドラム３１の表面に帯電したトナーを付着させてトナー像を形成する。現像装置３４により感光体ドラム３１上に形成されたトナー像は、転写装置３５において記録媒体Ｐに転写される。
【００１９】
ＬＥＤプリンタヘッド３３は、複数の発光ダイオード（ＬＥＤ；Light Emitting Diode）素子を感光体ドラム３１の軸方向（主走査方向Ｘ）に配列して構成されており、後述する画像展開制御部によって供給される画像データ（データ信号）に応じて選択的に駆動されるものである。
【００２０】
クリーニング部４０は、記録媒体Ｐにトナー像が転写された後、感光体ドラム３１の表面の残留電荷や残留トナー等を除去する。
【００２１】
給紙部５０は、複数の給紙トレイ５１と手差しトレイ５２とを備える。
給紙トレイ５１は、給紙トレイ５１毎にサイズや種類毎に予め識別された記録媒体Ｐが収容されており、給紙ローラ５１ａによって収容された記録媒体Ｐを最上部から一枚ずつ搬送部６０に向けて搬送する。
手差しトレイ５２は、ユーザのニーズに合わせて様々な種類の記録媒体Ｐをその都度積載可能となっており、給紙ローラ５２ａによって積載された記録媒体Ｐを最上部から一枚ずつ搬送部６０に向けて搬送する。
【００２２】
搬送部６０は、給紙トレイ５１又は手差しトレイ５２から搬送された記録媒体Ｐを、複数の中間ローラ６１ａ、６１ｂ、６１ｃ、レジストローラ６２を経て転写装置３５へと搬送する。
【００２３】
定着部７０は、搬送部６０によって搬送された記録媒体Ｐに転写されたトナー像を熱定着する。定着処理された記録媒体Ｐは、排紙ローラ６３に挟持されて排紙トレイ６４上に出力される。
【００２４】
画像形成装置１の感光体ドラム３１、定着部７０等の各回転動作速度（以下、線速度という。）は、後述する本体制御部によって制御される。
【００２５】
図２に、ＬＥＤプリンタヘッド３３の構成の平面図を示す。
ＬＥＤプリンタヘッド３３は、主走査方向Ｘに複数配列されたＬＥＤヘッドモジュール３３ａから構成されている。ＬＥＤヘッドモジュール３３ａは、複数のＬＥＤ素子が予め設定された副走査方向の解像度（第１解像度）に対応した間隔（ピッチ）で副走査方向に順次ずれた状態で主走査方向Ｘに所定の間隔を置いて配列されており、複数のＬＥＤ素子は、主走査方向Ｘに順次時分割駆動されるよう構成されている。
【００２６】
図２に示すＬＥＤヘッドモジュール３３ａは、主走査方向Ｘに８分割された第１〜８ＬＥＤ素子Ｌ１〜Ｌ８が副走査方向Ｙに順次ずれた状態で主走査方向Ｘに所定の間隔を置いて配列され、第１ＬＥＤ素子Ｌ１から順次８分割駆動される。第１〜８ＬＥＤ素子Ｌ１〜Ｌ８が均等間隔で順次駆動されることにより、感光体ドラム３１に１走査ラインの潜像が書込まれる。
【００２７】
例えば、図２に示すＬＥＤヘッドモジュール３３ａが主走査方向Ｘの解像度が１２００[ｄｐｉ]、副走査方向の解像度（第１解像度）が２４００[ｄｐｉ]に対応したＬＥＤヘッドモジュール３３ａである場合、副走査方向Ｙの画素ピッチは１０．５[μｍ]でることから、第１ＬＥＤ素子Ｌ１から第８ＬＥＤ素子までの距離が１０．５[μｍ]、各ＬＥＤ素子間の間隔が１．５[μｍ]となるようにＬＥＤ素子が副走査方向Ｙに順次ずれた状態で主走査方向Ｘに所定の間隔を置いて配列されている。
【００２８】
このように、副走査方向の解像度が２４００[ｄｐｉ]に設定されたＬＥＤヘッドモジュール３３ａは、ＬＥＤヘッドモジュール３３ａに対する感光体ドラム３１の位置が、１．５[μｍ]移動する毎にＬＥＤ素子が順次駆動され、第１ＬＥＤ素子Ｌ１から第８ＬＥＤ素子Ｌ８まで駆動される（ＬＥＤプリンタヘッド３３に対する感光体ドラム３１の位置が１０．５[μｍ]移動する）と、１走査ラインが形成される。従って、２４００[ｄｐｉ]の１走査ラインを形成するためのＬＥＤヘッドモジュール３３ａのＬＥＤ素子の駆動周期（以下、ＬＥＤ駆動周期という。）は、ＬＥＤプリンタヘッド３３に対する感光体ドラム３１の位置が１０．５[μｍ]移動するために要する時間となる。
【００２９】
しかしながら、図２に示すようなＬＥＤヘッドモジュール３３ａを有するＬＥＤプリンタヘッド３３を用いて副走査方向の解像度が１２００[ｄｐｉ]の露光を行う場合、副走査方向Ｙの画素ピッチは２１．０[μｍ]となり、ＬＥＤヘッドモジュール３３ａに対する感光体ドラム３１の位置が、３．０[μｍ]移動する毎にＬＥＤ素子が順次駆動されるため、１走査ラインが直線とならず、ＬＥＤ素子の配置に応じた階段状となってしまうという問題があり、本発明は、この問題を解消させるためにＬＥＤ素子の駆動タイミングを制御するものである。
【００３０】
図３に、画像形成装置１の制御ブロック図を示す。
図３に示すように、画像形成装置１は、本体制御部１００、機構制御部２００、画像展開制御部３００、Ｉ／Ｆ４０１などにより構成され、各部は通信手段としてのバス４０２により接続されている。
【００３１】
本体制御部１００は、ＣＰＵ（Central Processing Unit）１０１、ＲＯＭ（Read Only Memory）１０２、ＲＡＭ（Random Access Memory）１０３、Ｉ／Ｆ１０４を介して接続されたＨＤＤ（Hard Disk Drive）１０５等を備えている。
【００３２】
ＣＰＵ１０１は、ＲＯＭ１０２に記憶されているシステムプログラム、各処理プログラム、データを読み出して、ＲＡＭ１０３又はＨＤＤ１０５内に展開し、展開されたプログラムに従って、画像形成装置１各部の動作を集中制御する。システム全体のタイミング制御、ＲＡＭ１０３又はＨＤＤ１０５を使用したプリントデータの記憶及び蓄積制御、画像読取部１０などから送られてきたプリントデータの画像処理（変倍、フィルタ、γ変換など）、プリント部２０に対する画像データの入出力制御、他のアプリケーション（ＦＡＸ、プリンタ、スキャナ等）とのインターフェース（Ｉ／Ｆ）や動作制御を行うものである。
【００３３】
また、ＣＰＵ１０１は、ＰＣ（Personal Computer）２から送信されるプリントデータをＩ／Ｆ４０１を介して受信し、受信したプリントデータを一時的にＲＡＭ１０３又はＨＤＤ１０５に格納し、プリントデータに基づいた画像データを画像展開制御部３００に展開する。ＣＰＵ１０１は、画像データを画像展開制御部３００に展開させた後、機構制御部２００へ起動指示信号を出力し、画像形成装置の各部の起動を行わせる。
【００３４】
ＲＯＭ１０２は、画像形成装置１に対応するプログラムやデータなどがあらかじめ記憶されており、システムプログラム、当該システムに対応する各種処理プログラム、各種処理プログラムで処理するのに必要なデータを記憶している。
【００３５】
ＲＡＭ１０３及びＨＤＤ１０５は、ＣＰＵ１０１により制御実行される各種処理において、ＲＯＭ１０２から読み出されたプログラム、入力、若しくは出力データ及びパラメータなどの一時的な格納領域となる。
【００３６】
機構制御部２００は、本体制御部１００からの信号に基づいて画像形成装置１内の各駆動機構及び各種センサ等を統括的に制御するものであり、例えば、感光体ドラム３１を一定速度で回転させるモータＭを駆動制御している。機構制御部２００は、本体制御部１００からの起動指示信号を受信した場合、記録媒体のサイズに応じた副走査起動信号ＶＶ、感光体ドラム３１の線速度に同期したライン同期信号ＨＶを画像展開制御部３００に出力する。
【００３７】
画像展開制御部３００は、本体制御部１００から受信した画像データ及び機構制御部２００から受信した副走査起動信号ＶＶ、ライン同期信号ＨＶに基づいて各種信号をＬＥＤプリンタヘッド３３に出力し、ＬＥＤプリンタヘッド３３を駆動させる。
【００３８】
Ｉ／Ｆ４０１は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、ネットワーク上の外部機器（ＰＣ２等）と相互に情報の送受信を行う。
【００３９】
ＬＥＤプリンタヘッド３３は、複数のＬＥＤヘッドモジュール３３ａが搭載されたＬＥＤ素子搭載基板３３ｂ、ＬＥＤ素子からの光を感光体ドラム３１上に結像させるためのセルフォックレンズアレイ３３ｃ等の光学系、ＬＥＤ素子駆動／光量補正回路部３３０を備える。
【００４０】
ＬＥＤ素子駆動／光量補正回路部３３０は、画像展開制御部３００から入力される信号に基づいて各ＬＥＤ素子の光量補正及び駆動動作を行う回路である。
【００４１】
ＬＥＤ素子は、ＬＥＤ素子製造時の機械的特性及び電気的特性のバラツキ、ＬＥＤ素子駆動回路の電流抵抗のバラツキ、実装部材（ＬＥＤ素子搭載基板３３ｂ等）の電気的なバラツキ等により、同一条件下で駆動しても、各ＬＥＤ素子の光量に差が発生することが知られている。そこで、ＬＥＤプリンタヘッド３３全体の光量のバラツキを一定の範囲内に収まるように、ＬＥＤ素子駆動／光量補正回路部３３０には、ＬＥＤ素子毎に電流量及び立ち上がり駆動特性（ＯＮタイミング）を補正する補正部が備えられており、該補正部は、画像展開制御回路部３００から入力された光量補正データに応じて各ＬＥＤ素子の光量を補正している。
【００４２】
また、ＬＥＤ素子駆動／光量補正回路部３３０は、各ＬＥＤ素子に対応した画像データを一時的に記憶する記憶手段としてバッファメモリを備えており、画像展開制御部３００から入力される信号に基づいて各ＬＥＤ素子に対応するバッファメモリ内に画像データの書込み及び消去を行っている。
【００４３】
図４に、画像展開制御部３００の構成図を示す。
図４に示すように、画像展開制御部３００は、クロックタイミング生成制御部３０１、光量補正データメモリ３０２、画像データメモリ３０３、データセレクタ部３０４、システムＩ／Ｆ３０５を備える。
【００４４】
クロックタイミング生成制御部３０１は、機構制御部３００から入力された副走査起動信号ＶＶ及びライン同期信号ＨＶに応じて、光量補正データメモリ３０２とデータセレクタ部３０４にクロック信号ＣＬＫ及びタイミング信号の出力を行う。
【００４５】
光量補正データメモリ３０２は、各ＬＥＤ素子の光量の補正を行うためにＬＥＤ素子毎の光量補正データを予め記憶しており、ＬＥＤプリンタヘッド３３の駆動前に、クロックタイミング生成制御部３０１から入力されたタイミング信号に合わせて、各ＬＥＤ素子の光量補正データをデータセレクタ部３０４に出力する。
【００４６】
画像データメモリ３０３は、システムＩ／Ｆ３０５を介してプリントデータに基づいた解像度に展開された画像データを蓄積しており、１走査ライン分の画像データ（データ信号ＤＡＴＡ）を順次データセレクタ部３０４に出力する。
【００４７】
データセレクタ部３０４は、ＬＥＤプリンタヘッド３３の駆動前にクロックタイミング生成制御部３０１から入力されたタイミング信号及び光量補正データメモリ３０２から入力された光量補正データに応じて、ＬＥＤ素子駆動／光量補正回路部３３０の各ＬＥＤ素子の補正部へ光量補正データを送信し、ＬＥＤプリンタヘッド３３全体の光量のバラツキを補正させる。
【００４８】
そして、データセレクタ部３０４は、ＬＥＤプリンタヘッド３３全体の光量バラツキの補正処理後、クロックタイミング生成制御部３０１から入力されたクロック信号ＣＬＫに応じて、画像データメモリ３０３から入力されたデータ信号ＤＡＴＡ、ラインクリア信号ＬＣＬＲ、選択信号ＳＫ、ＬＥＤ同期信号ＨＶＬ、ＬＥＤ駆動信号ＬＯＮをＬＥＤ素子駆動／光量補正回路部３３０に出力する。
【００４９】
本実施の形態１を実現させるために、画像展開制御回路部３００は、本体制御部１００から受信した画像データの解像度及び機構制御部２００から受信したライン同期信号ＨＶのライン周期Ｔ１に基づいて、ＬＥＤ同期信号ＨＬＶのＬＥＤ駆動周期Ｔ２及びＬＥＤ駆動信号ＬＯＮのＯＮ時間（露光時間）の変更設定を行う。
【００５０】
画像展開制御回路部３００は、予め設定された副走査方向の第１解像度の１／ｎ倍（ｎは偶数）の解像度である第２解像度で露光を行う場合、第２解像度におけるライン周期Ｔ１内に、ＬＥＤ駆動周期Ｔ２を第２解像度におけるライン周期Ｔ１の１／ｎ倍の周期、且つ、露光時間を第１解像度のｎ倍の時間としてＬＥＤ素子を駆動させるＬＥＤ駆動制御手段である。
【００５１】
以下、本実施の形態１では、第１解像度を２４００[ｄｐｉ]、第２解像度を第１解像度の１／２倍の解像度である１２００[ｄｐｉ]とし、図２に示す副走査方向の解像度が２４００[ｄｐｉ]に設定されたＬＥＤヘッドモジュール３３ａを複数備えたＬＥＤプリンタヘッド３３を用いた場合のＬＥＤ駆動周期Ｔ２及び露光時間の変更設定動作を説明する。
なお、主走査方向の解像度は、一定（１２００[ｄｐｉ]）とする。
【００５２】
図５に、副走査方向の解像度が２４００[ｄｐｉ]の画像を露光させる場合の各種信号のタイミングチャート例を示す。
【００５３】
図５に示すように、時刻ｔ１のとき、副走査起動信号ＶＶが立ち上がる。
副走査起動信号ＶＶが立ち上がった後の時刻ｔ２のとき、ライン同期信号ＨＶが立ち上がり、ライン同期信号ＨＶが立ち上がった後、ラインクリア信号ＬＣＬＲが立ち上がる。ラインクリア信号ＬＣＬＲが立ち上がると、ＬＥＤ素子駆動／光量補正回路部３３０内のバッファメモリ内に一時的に蓄積されたデータ信号ＤＡＴＡが消去される。
【００５４】
バッファメモリ内のデータ信号ＤＡＴＡの消去が終了された後、クロック信号ＣＬＫに同期して１走査ライン分のデータ信号ＤＡＴＡが各ＬＥＤ素子のバッファメモリに順次格納される。第１ＬＥＤ素子Ｌ１〜第８ＬＥＤ素子Ｌ８までのデータ信号ＤＡＴＡを格納させた後の時刻ｔ４において、ライン同期信号ＨＶは、次のラインのデータ信号ＤＡＴＡの格納処理を行わせるために立ち上がる。
【００５５】
時刻ｔ３のとき、各ＬＥＤ素子を各バッファメモリのデータ信号ＤＡＴＡに応じて駆動させるためにＬＥＤ同期信号ＨＶＬが立ち上がり、駆動させるＬＥＤ素子を選択させる選択信号ＳＫが順次立ち上がる。選択信号ＳＫが立ち上がった後、ＬＥＤ駆動信号ＬＯＮは、選択信号ＳＫに応じて順次立ち上がり、ＬＥＤ素子を等間隔で順次駆動させる。
【００５６】
第１ＬＥＤ素子Ｌ１〜第８ＬＥＤ素子Ｌ８が等間隔で順次駆動されることにより、１走査ラインが形成される。第８ＬＥＤ素子Ｌ８が駆動された後の時刻ｔ５のとき、次のライン形成のためのＬＥＤ同期信号ＨＶＬが立ち上がり、次の走査ラインの形成が行われる。
【００５７】
ＬＥＤプリンタヘッド３３に配置されたＬＥＤ素子の副走査方向Ｙの画素ピッチと形成される画像の副走査方向の解像度が等しい（図２におけるＬＥＤプリンタヘッド３３に対して、画像の副走査解像度が２４００[ｄｐｉ]）である場合、時刻ｔ３〜時刻ｔ５のＬＥＤ駆動周期Ｔ２ａは、時刻ｔ２〜時刻Ｔ４までのライン周期Ｔ１ａと同じ時間（Ｔ１ａ＝Ｔ２ａ）と設定される。
【００５８】
ＬＥＤ駆動信号ＬＯＮが立ち上がった状態を維持している時間（ＯＮ時間）は、感光体ドラム３１上に潜像を書込んでいる時間、即ち露光時間となる。図５において、副走査解像度が２４００[ｄｐｉ]の場合の露光時間をＡとする。
【００５９】
図６に、本実施の形態１において、副走査方向の解像度が１２００[ｄｐｉ]の画像を露光させる場合の各種信号のタイミングチャート例を示す。
【００６０】
図６に示すように、ライン同期信号ＨＶは、副走査方向の解像度が予め設定された副走査方向の解像度（２４００[ｄｐｉ]）の１／２倍の解像度（１２００[ｄｐｉ]）であるため、ライン周期Ｔ１ｂは、副走査方向の解像度が２４００[ｄｐｉ]のライン周期Ｔ１ａの２倍となる。
【００６１】
２４００[ｄｐｉ]の露光動作と同様にライン周期Ｔ１ｂを８分割してＬＥＤ素子を駆動させると、直線の走査ラインを得ることができず、階段状の走査ラインとなる。そこで、ライン周期Ｔ１ｂの１／２の時間のＬＥＤ駆動周期Ｔ２ｂ（Ｔ２ｂ＝Ｔ１ｂ／２）かつ２４００[ｄｐｉ]の２倍の露光時間（２Ａ）としてＬＥＤ素子を駆動させるよう、画像展開制御部３００は、各種信号のタイミングを制御している。
【００６２】
時刻ｔ１１のとき、副走査起動信号ＶＶが立ち上がる。
副走査起動信号ＶＶが立ち上がった後の時刻ｔ１２のとき、ライン同期信号ＨＶが立ち上がり、ライン同期信号ＨＶが立ち上がった後、ラインクリア信号ＬＣＬＲが立ち上がる。ラインクリア信号ＬＣＬＲが立ち上がると、ＬＥＤ素子駆動／光量補正回路部３３０内のバッファメモリ内に一時的に蓄積されたデータ信号ＤＡＴＡが消去される。
【００６３】
バッファメモリ内のデータ信号ＤＡＴＡの消去が終了された後、クロック信号ＣＬＫに同期して１走査ライン分のデータ信号ＤＡＴＡが各ＬＥＤ素子のバッファメモリに順次格納される。
第１ＬＥＤ素子Ｌ１から第８ＬＥＤ素子Ｌ８に対応するバッファメモリ内にデータ信号ＤＡＴＡが格納される時間は、ライン周期Ｔ１ｂの１／２の時間内に行われる。
【００６４】
時刻ｔ１３とき、各ＬＥＤ素子を各バッファメモリのデータ信号ＤＡＴＡに応じて駆動させるためにＬＥＤ同期信号ＨＶＬが立ち上がり、選択信号ＳＫが順次立ち上がる。選択信号ＳＫは、ライン周期Ｔ１ｂの１／２倍の時間内で各ＬＥＤ素子が等間隔（８分割）で選択されるように立ち上がり、選択信号ＳＫが立ち上がった後、ＬＥＤ駆動信号ＬＯＮは、選択信号ＳＫに応じて順次立ち上がり、ＬＥＤ素子を等間隔で順次駆動させる。
【００６５】
第１ＬＥＤ素子Ｌ１〜第８ＬＥＤ素子Ｌ８がライン周期Ｔ１ｂの１／２周期で等間隔に順次駆動されることにより、副走査方向の解像度が１２００[ｄｐｉ]の走査ラインが直線となる。第８ＬＥＤ素子Ｌ８が駆動された後の時刻ｔ１４のとき、ＬＥＤ同期信号ＨＶＬが立ち上がるが、ラインクリア信号ＬＣＬＲが立ち上がっていないため、次の走査ラインの露光動作は行われない。
【００６６】
ＬＥＤプリンタヘッド３３に配置されたＬＥＤ素子の副走査方向Ｙの画素ピッチが形成される画像の副走査方向の解像度の１／２倍である（図２におけるＬＥＤプリンタヘッド３３に対して、画像の副走査解像度が１２００[ｄｐｉ]）である場合、時刻ｔ１３〜時刻ｔ１４のＬＥＤ駆動周期Ｔ２ｂは、時刻ｔ１２〜時刻Ｔ１５までのライン周期Ｔ１ｂの１／２の時間（Ｔ２＝Ｔ１／２）と設定される。
【００６７】
副走査方向の解像度１２００[ｄｐｉ]の画像を露光させる場合、図６における露光時間Ｂは、１画素あたりの露光面積は、副走査方向の解像度２４００[ｄｐｉ]の２倍の面積となることから、露光時間Ｂは、副走査方向の解像度が２４００[ｄｐｉ]の画像を露光させる場合の露光時間Ａの２倍を要することとなる。
【００６８】
従って、図６において、副走査解像度が１２００[ｄｐｉ]の場合の露光時間をＢとした場合、副走査方向の解像度が１２００[ｄｐｉ]の場合の露光時間Ｂは、２４００[ｄｐｉ]の場合の露光時間Ａの２倍の時間に設定される。
【００６９】
次に、露光時間について具体的な例を挙げて説明する。
まず、図２に示す副走査方向の解像度が２４００[ｄｐｉ]に設定されたＬＥＤヘッドモジュール３３ａを複数備えたＬＥＤプリンタヘッド３３を用いた場合、主走査方向の解像度が１２００[ｄｐｉ]、副走査方向の解像度が１２００[ｄｐｉ]の場合においての露光時間Ｂについて説明する。
【００７０】
なお、以下に求める露光時間Ｂは、感光体ドラム３１上にベタ画像の潜像を書込む場合に必要とされる露光時間とする。
【００７１】
露光時間Ｂの算出方法として、同一波長のレーザ光源を用いた電子写真プロセス条件を利用し、同一波長のレーザ光源を感光体ドラム３１面上にて光量測定を行い、必要な露光エネルギーを推定する方法を用いる。この方法は、制御時間となる露光時間の近似値を求めるには有効である。しかし、最終的な電子写真プロセス条件を決定するためには、テストパターン露光を行い、感光体ドラムの電位測定等を実施して、露光時間の調整が必要となる。
【００７２】
算出にあたり、感光体ドラム３１の線速度ｖ、レーザの発光波長ｗ、ＬＥＤ素子の光量ｌｗは、下記のように設定する。
【００７３】
なお、ＬＥＤプリンタヘッドの仕様書規定での慣例として、ＬＥＤ素子の光量表記単位として［Ｗ］を用いることが慣用化されているが、露光時間の説明上、計算書式を正確に説明するために、[Ｗ]を[Ｊ／ｓ]として表記する。
【００７４】
感光体ドラム３１の線速度：  ｖ＝４２０[ｍｍ／ｓ]
レーザの発光波長：  ｗ＝７６０±１０[ｎｍ]
ＬＥＤ素子の光量：ｌｗ＝１[μＪ／ｓｄｏｔ]（[μＷ／ｄｏｔ]）
【００７５】
主走査方向の解像度が１２００[ｄｐｉ]、副走査方向の解像度が１２００[ｄｐｉ]の場合の書込み周波数ｆと、感光体ドラム上に帯電している電荷の移動に要するレーザパワーＰは、下記の値であった。
【００７６】
書込み周波数：ｆ＝１０７．４５７８[ＭＨｚ]
レーザパワー：Ｐ＝２８８[μＪ／ｓ]（[μＷ]）
【００７７】
出力解像度が主走査方向の解像度１２００[ｄｐｉ]×副走査方向の解像度１２００[ｄｐｉ]の場合において、１ドットあたりに必要な露光エネルギーＥ１２００は、下記の式（１）から算出される。
【００７８】
Ｅ１２００＝Ｐ×（１／ｆ）                          ・・・・（１）
＝２．６８[ｐＪ／ｄｏｔ]
【００７９】
露光時間Ｂは、式（１）によって求められた露光エネルギーＥ１２００とＬＥＤ素子の光量ｌｗと下記の式（２）から算出される。
【００８０】
Ｂ＝Ｅ１２００÷ｌｗ                                ・・・・（２）
＝２．６８[μｓ]
【００８１】
主走査方向の解像度が１２００[ｄｐｉ、副走査方向の解像度が１２００[ｄｐｉ]の場合のライン周期Ｔ１ｂは、副走査方向の解像度１２００[ｄｐｉ]と感光体ドラム３１の線速度ｖと下記の式（３）から算出される。
【００８２】
Ｔ１ｂ＝２５．４÷１２００÷ｖ                    ・・・・（３）
＝５０．４[μｓ]
【００８３】
ＬＥＤヘッドモジュール３３ａが第１〜８ＬＥＤ素子Ｌ１〜Ｌ８を８分割駆動させて１走査ラインを形成させている場合、ＬＥＤ素子が駆動可能な最大の時間（最大駆動時間）Ｂｍａｘは、ライン周期Ｔ１ｂと分割数ｍと下記の式（４）から算出される。
【００８４】
Ｂｍａｘ＝Ｔ１ｂ÷ｍ                              ・・・・（４）
＝６．３[μｓ]
【００８５】
従って、主走査方向の解像度が１２００[ｄｐｉ]、副走査方向の解像度が１２００[ｄｐｉ]の場合の露光時間Ｂは、ライン周期Ｔ１ｂの５．３[％]、最大駆動時間Ｂｍａｘの４２．５[％]の時間において、潜像を書込むために必要な露光エネルギーを確保することができる。
【００８６】
次に、図２に示す副走査方向の解像度が２４００[ｄｐｉ]に設定されたＬＥＤヘッドモジュール３３ａを複数備えたＬＥＤプリンタヘッド３３を用いた場合、出力解像度が主走査方向の解像度が１２００[ｄｐｉ]、副走査方向の解像度が２４００[ｄｐｉ]の場合においての露光時間Ａについて説明する。
【００８７】
主走査方向の解像度が１２００[ｄｐｉ]、副走査方向の解像度が２４００[ｄｐｉ]の場合において、露光面積が主走査方向の解像度が１２００[ｄｐｉ]、副走査方向の解像度が１２００[ｄｐｉ]の場合の露光面積の１／２倍であることから、１ドットあたりに必要な副走査方向の解像度２４００[ｄｐｉ]の場合の露光エネルギーＥ２４００は、副走査方向の解像度１２００[ｄｐｉ]の場合の露光エネルギーＥ１２００の１／２倍と仮定することができる。
【００８８】
Ｅ２４００＝Ｅ１２００÷２
＝１．３４[ｐＪ／ｄｏｔ]
【００８９】
露光時間Ａは、露光エネルギーＥ２４００とＬＥＤ素子の光量ｌｗと下記の式（５）から算出される。
【００９０】
Ｂ＝Ｅ２４００÷ｌｗ                                ・・・・（５）
＝１．３４[μｓ]
【００９１】
主走査方向の解像度１２００[ｄｐｉ]×副走査方向の解像度２４００[ｄｐｉ]の場合のライン周期Ｔ１ａは、副走査方向の解像度１４００[ｄｐｉ]と感光体ドラム３１の線速度ｖと下記の式（６）から算出される。
【００９２】
Ｔ１ａ＝２５．４÷２４００÷ｖ                    ・・・・（６）
＝２５．２[μｓ]
【００９３】
ＬＥＤヘッドモジュール３３ａが第１〜８ＬＥＤ素子Ｌ１〜Ｌ８を８分割駆動させて１走査ラインを形成させている場合、ＬＥＤ素子が駆動可能な最大の時間（最大駆動時間）Ａｍａｘは、ライン周期Ｔ１ａと分割数ｍと下記の式（７）から算出される。
【００９４】
Ａｍａｘ＝Ｔ１ａ÷ｍ                              ・・・・（７）
＝３．１５[μｓ]
【００９５】
従って、主走査方向の解像度が１２００[ｄｐｉ]、副走査方向の解像度が２４００[ｄｐｉ]の場合の露光時間Ａは、ライン周期Ｔ１ａの５．３[％]、最大駆動時間Ａｍａｘの４２．５[％]の時間において、潜像を書込むために必要な露光エネルギーを確保することができる。
【００９６】
従って、副走査方向の解像度変更（１２００[ｄｐｉ]、２４００[ｄｐｉ]の変更）が行われた場合であっても、ライン周期が比例的に変更されると共に、露光時間も比例的に変更することができ、同一のＬＥＤプリンタヘッド３３を用いて適切な露光時間を確保することができる。
【００９７】
このように、画像形成装置１の線速度ｖ及びＬＥＤ駆動回数を変更せずに、ＬＥＤ素子のＬＥＤ駆動周期Ｔ２及び露光時間を変更することにより、１走査ラインを形成するために必要な露光時間Ｂ（Ｂ＝２Ａ）を確保しつつ容易に予め設定された副走査方向の第１解像度（２４００[ｄｐｉ]）よりも低解像度の第２解像度（１２００[ｄｐｉ]）の画像も形成できる画像形成装置を実現することができる。
【００９８】
[実施の形態２]
以下、図を参照して本発明の実施の形態２を詳細に説明する。
まず、構成を説明する。
【００９９】
本実施の形態２における画像形成装置１の断面構成、ＬＥＤプリンタヘッド３３の構成、画像形成装置１の制御ブロック構成、画像展開制御部３００の構成、副走査方向の解像度が２４００[ｄｐｉ]の画像を露光させる場合の各種信号のタイミングチャート例、露光時間についての具体的な例は、実施の形態１と異なる部分のみ説明し、図示及び説明は省略する。
【０１００】
本実施の形態２を実現させるために、画像展開制御回路部３００は、本体制御部１００から受信した画像データの解像度及び機構制御部２００から受信したライン同期信号ＨＶのライン周期Ｔ１に基づいて、ＬＥＤ同期信号ＨＬＶのＬＥＤ駆動周期Ｔ２及びＬＥＤ駆動信号ＬＯＮのＯＮ時間（露光時間）の変更設定を行う。
【０１０１】
本実施の形態２の画像展開制御回路部３００は、予め設定された副走査方向の第１解像度の１／ｎ倍（ｎは偶数）の解像度である第２解像度で露光を行う場合、第２解像度におけるライン周期Ｔ１内に、ＬＥＤ駆動周期Ｔ２を第２解像度におけるライン周期の１／ｎ倍の周期、且つ、露光時間を第１解像度の露光時間ＡとしたＬＥＤ素子の駆動をｎ回駆動させるＬＥＤ駆動制御手段である。
【０１０２】
以下、本実施の形態２では、第１解像度を２４００[ｄｐｉ]、第２解像度を第１解像度の１／２倍の解像度である１２００[ｄｐｉ]とし、図２に示す副走査方向の解像度が２４００[ｄｐｉ]に設定されたＬＥＤヘッドモジュール３３ａを複数備えたＬＥＤプリンタヘッド３３を用いた場合のＬＥＤ駆動周期Ｔ２及び露光時間の変更設定動作を説明する。
なお、主走査方向の解像度は一定（１２００[ｄｐｉ]）とする。
【０１０３】
図７に、本実施の形態２において、副走査方向の解像度が１２００[ｄｐｉ]の画像を露光させる場合の各種信号のタイミングチャート例を示す。
【０１０４】
図７に示すように、ライン同期信号ＨＶは、副走査方向の解像度が１２００[ｄｐｉ]であるため、ライン周期Ｔ１ｂは、副走査方向の解像度が２４００[ｄｐｉ]のライン周期Ｔ１ａの２倍となる。
【０１０５】
２４００[ｄｐｉ]の露光動作と同様にライン周期Ｔ１ｂを８分割してＬＥＤ素子を駆動させると、直線の走査ラインを得ることができず、階段状の走査ラインとなる。そこで、１２００[ｄｐｉ]のライン周期Ｔ１ｂ内に、ライン周期Ｔ１ｂの１／２倍の時間のＬＥＤ駆動周期Ｔ２ｂ（Ｔ２ｂ＝Ｔ１ｂ／２）、且つ、露光時間を２４００[ｄｐｉ]の露光時間ＡとしたＬＥＤ素子の駆動を２回繰り替えして駆動させるよう、画像展開制御部３００は、各種信号のタイミングを制御している。
【０１０６】
時刻ｔ２１のとき、副走査起動信号ＶＶが立ち上がる。
副走査起動信号ＶＶが立ち上がった後の時刻ｔ２２のとき、ライン同期信号ＨＶが立ち上がり、ライン同期信号ＨＶが立ち上がった後、ラインクリア信号ＬＣＬＲが立ち上がる。ラインクリア信号ＬＣＬＲが立ち上がると、ＬＥＤ素子駆動／光量補正回路部３３０内のバッファメモリ内に一時的に蓄積されたデータ信号ＤＡＴＡが消去される。
【０１０７】
バッファメモリ内のデータ信号ＤＡＴＡの消去が終了された後、クロック信号ＣＬＫに同期して１走査ライン分のデータ信号ＤＡＴＡが各ＬＥＤ素子のバッファメモリに順次格納される。
第１ＬＥＤ素子Ｌ１から第８ＬＥＤ素子Ｌ８に対応するバッファメモリ内にデータ信号ＤＡＴＡが格納される時間は、ライン周期Ｔ１ｂの１／２倍の時間内に行われる。
【０１０８】
時刻ｔ２３とき、各ＬＥＤ素子を各バッファメモリのデータ信号ＤＡＴＡに応じて駆動させるためにＬＥＤ同期信号ＨＶＬが立ち上がり、選択信号ＳＫが順次立ち上がる。選択信号ＳＫは、ライン周期Ｔ１ｂの半分の時間内で各ＬＥＤ素子が等間隔（８分割）で選択されるように立ち上がり、選択信号ＳＫが立ち上がった後、ＬＥＤ駆動信号ＬＯＮは、選択信号ＳＫに応じて順次立ち上がり、ＬＥＤ素子を駆動させる。
【０１０９】
第１ＬＥＤ素子Ｌ１〜第８ＬＥＤ素子Ｌ８がライン周期Ｔ１ｂの１／２周期で等間隔に順次駆動されることにより、副走査方向の解像度が１２００[ｄｐｉ]の走査ラインが形成される。
【０１１０】
第１ＬＥＤ素子Ｌ１から第８ＬＥＤ素子Ｌ８に対応するバッファメモリ内にデータ信号ＤＡＴＡが格納された後、時刻Ｔ２４のとき、ラインクリア信号ＬＣＬＲが立ち上がり、ＬＥＤ素子駆動／光量補正回路部３３０内のバッファメモリ内に一時的に蓄積されたデータ信号ＤＡＴＡが消去される。
【０１１１】
バッファメモリ内のデータ信号ＤＡＴＡの消去が終了された後、クロック信号ＣＬＫに同期して１走査ライン分のデータ信号ＤＡＴＡが各ＬＥＤ素子のバッファメモリに順次格納されるが、新たにライン同期信号が立ち上がっていないため、再度同一のデータ信号ＤＡＴＡが格納される。
【０１１２】
第８ＬＥＤ素子Ｌ８が駆動された後の時刻ｔ２５のとき、ＬＥＤ同期信号ＨＶＬが立ち上がり、ラインクリア信号ＬＣＬＲが立ち上がっているため、バッファメモリ内に格納されたデータに基づき、時刻ｔ２３〜ｔ２５の露光動作と同様に、時刻ｔ２５〜ｔ２７の間、再度露光動作が繰り返される。
【０１１３】
ＬＥＤプリンタヘッド３３に配置されたＬＥＤ素子の副走査方向の画素ピッチが形成される画像の副走査方向の解像度の１／２倍である（図２におけるＬＥＤプリンタヘッド３３に対して、画像の副走査解像度が１２００[ｄｐｉ]）である場合、時刻ｔ２２〜時刻Ｔ２６までのライン周期Ｔ１ｂ内で、ライン周期Ｔ１ｂの１／２倍の時間（Ｔ２ｂ＝Ｔ１ｂ／２）のＬＥＤ駆動周期Ｔ２ｂが２回繰り返される。
【０１１４】
図２のＬＥＤプリンタヘッド３３を用いて副走査方向の解像度１２００[ｄｐｉ]の画像を露光させる場合、１画素あたりの露光面積は、副走査方向の解像度２４００[ｄｐｉ]の２倍の面積となることから、副走査方向の解像度が１２００[ｄｐｉ]の場合の露光時間は、副走査方向の解像度が２４００[ｄｐｉ]の場合の露光時間Ａの２倍を要する。
【０１１５】
しかし、ライン周期Ｔ１ｂ内でＬＥＤの駆動を２回行うため、ＬＥＤ駆動周期Ｔ２ｂ毎の露光時間は副走査方向の解像度２４００[ｄｐｉ]と同じ露光時間Ａでよく、本実施の形態２において、副走査方向の解像度が２４００[ｄｐｉ]から１２００[ｄｐｉ]に変更された場合、ＬＥＤ駆動周期毎の露光時間の変更をせずにＬＥＤの駆動回数を２回とすることで、１走査ラインを形成するために必要な露光時間Ｂ（Ｂ＝２Ａ）を確保することができる。
【０１１６】
図８に、本実施の形態２において、副走査方向の解像度が１２００[ｄｐｉ]の画像を露光させる場合の各種信号のタイミングチャート例を示す。
【０１１７】
図８に示す副走査方向の解像度が１２００[ｄｐｉ]の画像を露光させる場合の各種信号のタイミングチャートは、バッファメモリ内に格納したデータ信号を２回目のＬＥＤ駆動時に読み出して露光させるタイミングチャートであり、図７と同様の動作の説明は省略し、異なる動作のみ説明する。
【０１１８】
第１ＬＥＤ素子Ｌ１から第８ＬＥＤ素子Ｌ８に対応するバッファメモリ内にデータ信号ＤＡＴＡが格納された後、時刻Ｔ３４のとき、リピート信号ＲＰが立下り、ＬＥＤ素子駆動／光量補正回路部３３０内のバッファメモリ内に一時的に蓄積されたデータ信号ＤＡＴＡが再度読み出される。
【０１１９】
第８ＬＥＤ素子Ｌ８が駆動された後の時刻ｔ２５のとき、ＬＥＤ同期信号ＨＶＬが立ち上がり、読み出されたデータに基づき再度露光動作が繰り返される。
【０１２０】
このように、バッファメモリ内のデータを再度読み出す構成とした場合、図７示すようにＬＥＤプリンタヘッドの駆動回毎に画像データ（データ信号ＤＡＴＡ）を取得する動作を必要としないため、制御信号の簡略化を行うことができる。
【０１２１】
画像形成装置の線速度ｖ及びＬＥＤ駆動周期毎の露光時間の変更をせずに、ＬＥＤ駆動周期Ｔ２及び駆動回数を変更することにより、１走査ラインを形成するために必要な露光時間Ｂ（Ｂ＝２Ａ）を確保しつつ容易に予め設定された副走査方向の第１解像度（２４００[ｐｉ]）よりも低解像度の第２解像度（１２００[ｄｐｉ]）の画像も形成できる画像形成装置を実現することができる。
【０１２２】
なお、本実施の形態１及び２では、予め設定された副走査方向の第１解像度（２４００[ｄｐｉ]）の１／２倍の解像度（１２００[ｄｐｉ]）である第２解像度で露光を行う場合、について説明したが、第２解像度が１／ｎ倍（ｎは偶数）の場合であっても、同様な効果を得られることは明らかであるため、説明は省略する。
【０１２３】
また、本発明は、上記実施の形態の内容に限定されるものではなく、本発明の主旨を逸脱しない範囲で適宜変更可能である。
【図面の簡単な説明】
【０１２４】
【図１】本実施の形態１における画像形成装置１の断面構成図である。
【図２】ＬＥＤプリンタヘッド３３の構成の平面図である。
【図３】画像形成装置１の制御ブロック図である。
【図４】画像展開制御部３００の構成図である。
【図５】副走査方向の解像度が２４００[ｄｐｉ]の画像を露光させる場合の各種信号のタイミングチャート例である。
【図６】本実施の形態１において、副走査方向の解像度が１２００[ｄｐｉ]の画像を露光させる場合の各種信号のタイミングチャート例である。
【図７】本実施の形態２において、副走査方向の解像度が１２００[ｄｐｉ]の画像を露光させる場合の各種信号のタイミングチャート例である。
【図８】本実施の形態２において、副走査方向の解像度が１２００[ｄｐｉ]の画像を露光させる場合の各種信号のタイミングチャートの他の例である。
【符号の説明】
【０１２５】
１  画像形成装置
２  ＰＣ
１０  画像読取部
１１  自動原稿送り部
１１ａ  給紙ローラ
１１ｂ  密着ローラ
１１ｃ  案内ローラ
１１ｄ  切替爪
１１ｅ  反転ローラ
１１ｆ  排紙トレイ
１１ｇ  原稿トレイ
１２  読取部
２０  プリント部
３０  画像形成部
３１  感光体ドラム
３２  帯電装置
３３  ＬＥＤプリンタヘッド
３３ａ  ＬＥＤヘッドモジュール
３３ｂ  ＬＥＤ素子搭載基板
３３ｃ  セルフォックレンズアレイ
３４  現像装置
３５  転写装置
４０  クリーニング部
５０  給紙部
５１  給紙トレイ
５１ａ、５２ａ  給紙ローラ
５２  手差しトレイ
６０  搬送部
６１ａ、６１ｂ、６１ｃ  中間ローラ
６２  レジストローラ
６３  排紙ローラ
６４  排紙トレイ
１００  本体制御部
１０１  ＣＰＵ
１０２  ＲＯＭ
１０３  ＲＡＭ
１０４  Ｉ／Ｆ
１０５  ＨＤＤ
２００  機構制御部
３００  画像展開制御部
３０１  クロックタイミング生成制御部
３０２  光量補正データメモリ
３０３  画像データメモリ
３０４  データセレクタ部
３０５  システムＩ／Ｆ
３３０  ＬＥＤ素子駆動／光量補正回路部
４０１  Ｉ／Ｆ
４０２  バス
Ａ、Ｂ  露光時間
ＣＬＫ  クロック信号
ＤＡＴＡ  データ信号
ＨＶ  ライン同期信号
ＨＶＬ  ＬＥＤ同期信号
Ｌ１〜Ｌ８  第１〜８ＬＥＤ素子
ＬＣＬＲ  ラインクリア信号
ＬＯＮ  ＬＥＤ駆動信号
Ｍ  モータ
ＲＰ  リピート信号
ＳＫ  選択信号
Ｔ１、Ｔ１ａ、Ｔ１ｂ  ライン周期
Ｔ２、Ｔ２ａ、Ｔ２ｂ  ＬＥＤ駆動周期
ＶＶ  副走査起動信号
【図１】
2006159851.tif 000003
【図２】
2006159851.tif 000004
【図３】
2006159851.tif 000005
【図４】
2006159851.tif 000006
【図５】
2006159851.tif 000007
【図６】
2006159851.tif 000008
【図７】
2006159851.tif 000009
【図８】
2006159851.tif 000010